(57)【要約】特定のＩＤがあらかじめ記録されたギフトカードを用いるようにし、ギフトカードの販売時点で、ＩＤと関連付けて、当該ギフトカードの額面金額あるいは、購入できる商品のランクをサーバに記憶しておき、ギフトカードが送り主から送り先のユーザに送られ、ユーザがインターネットを介してショッピングするときは、ギフトカードのＩＤからサーバに記憶されている額面金額又はランクを用いて商品を購入できるようにしたので、プレゼントの受け手側が商品の選択をすることができ、かつ印刷物のカタログを用いることなく商品選択自由度を極めて高くすることが可能となる。
2003050737.tif 000002
【特許請求の範囲】
【請求項１】
ギフトカードの送り主が購入したギフトカードの金額を前記ギフトカードを特定するＩＤと関連付けて前記ギフトカードの販売者の、又はその関連するサーバに記憶しておき、前記ギフトカードが送り先であるユーザに送られた後に、前記ユーザが前記ギフトカードを用いてインターネットを介して商品を購入しようとするとき、前記ユーザの使用する端末が前記ギフトカードから前記ＩＤを読み出して前記サーバに送信し、前記サーバは前記ギフトカードの額面又は残高を前記ギフトカードのユーザに通知することにより前記ユーザが前記額面又は残高を用いて商品購入することが可能であり、商品購入が行われると、前記サーバは前記額面又は残高から前記購入商品の金額を減じて、新たな残高を保持し、前記商品の発送指示を行うよう構成されているギフトカードショッピングシステム。
【請求項２】
ギフトカードの送り主が購入したギフトカードの金額を前記ギフトカードを特定するＩＤと関連付けて前記ギフトカードの販売者の、又はその関連するサーバに記憶しておき、前記ギフトカードが送り先であるユーザに送られた後に、前記ユーザが前記ギフトカードを用いてインターネットを介して商品を購入しようとするとき、前記ユーザの使用する端末が前記ギフトカードから前記ＩＤを読み出して前記サーバに送信し、前記サーバは前記ギフトカードにより購入できるショッピングのランク又は、当該ランクに該当する商品の情報を前記ギフトカードのユーザに通知することにより前記ユーザが前記ランク又はそれに該当する前記商品の情報を用いて商品購入することが可能であり、商品購入が行われると、記憶されている前記ランクを消去するか、あるいは当該ランクの商品が購入済であることを記憶し、前記サーバは前記商品の発送指示を行うよう構成されているギフトカードショッピングシステム。
【請求項３】
ギフトカードを特定する情報としてのＩＤが記録されたギフトカードが購入された際に、前記ギフトカードの額面金額を前記ＩＤと関連付けて記憶する手段と、
ユーザが前記ギフトカードを用いてインターネットに接続された端末を介してショッピングしようとするとき、前記ＩＤが送信されたときは、前記額面金額を前記ユーザの端末に送信する手段と、
前記ユーザが商品を購入したときは、前記商品の金額を前記額面から減じて残高を前記額面に代えて記憶する手段と、
前記商品の購入が行われると、前記商品を発送するよう指示する手段とを、
有するギフトカードショッピングサーバ。
【請求項４】
ギフトカードを特定する情報としてのＩＤが記録されたギフトカードが購入された際に、前記ギフトカードで購入できる商品のランクを前記ＩＤと関連付けて記憶する手段と、
ユーザが前記ギフトカードを用いてインターネットに接続された端末を介してショッピングしようとするとき、前記ＩＤが送信されたときは、前記ランク又は当該ランクに該当する商品の情報を前記ユーザの端末に送信する手段と、
前記ユーザが商品を購入したときは、記憶されている前記ランクを消去するか、あるいは当該ランクの商品が購入済であることを記憶する手段と、
前記商品の購入が行われると、前記商品を発送するよう指示する手段とを、
有するギフトカードショッピングサーバ。
【請求項５】
ギフトカードを特定する情報としてのＩＤが記録されたギフトカードが購入された際に、前記ギフトカードの額面金額を前記ＩＤと関連付けて記憶するステップと、
ユーザが前記ギフトカードを用いてインターネットに接続された端末を介してショッピングしようとするとき、前記ＩＤが送信されたときは、前記額面金額を前記ユーザの端末に送信するステップと、
前記ユーザが商品を購入したときは、前記商品の金額を前記額面がら減じて残高を前記額面に代えて記憶するステップと、
前記商品の購入が行われると、前記商品を発送するよう指示するステップとを、
有する方法をコンピュータに実行させるためのギフトカードショッピングサーバ用コンピュータプログラム。
【請求項６】
ギフトカードを特定する情報としてのＩＤが記録されたギフトカードが購入された際に、前記ギフトカードで購入できる商品のランクを前記ＩＤと関連付けて記憶するステップと、
ユーザが前記ギフトカードを用いてインターネットに接続された端末を介してショッピングしようとするとき、前記ＩＤが送信されたときは、前記ランク又は当該ランクに該当する商品の情報を前記ユーザの端末に送信するステップと、
前記ユーザが商品を購入したときは、記憶されている前記ランクを消去するか、あるいは当該ランクの商品が購入済であることを記憶するステップと、
前記商品の購入が行われると、前記商品を発送するよう指示するステップとを、
有する方法をコンピュータに実行させるためのギフトカードショッピングサーバ用コンピュータプログラム。
【発明の詳細な説明】
技術分野
本発明は、いわゆるオンラインショッピングシステムに関し、特に新規なギフトカードを使用してインターネットを介してショッピングを行うことができるシステム及びサーバ及びそのコンピュータプログラムに関する。
従来の技術
従来から様々なオンラインショッピングシステムやヴァーチャルモールなど、インターネットなどの通信手段を用いて商品を購入するシステムが種々開発され実用化されている。これらの従来のシステムでは、購入者が商品を指定して、その金額をクレジットカードから引き落とす方式や、購入者が商品を第三者にプレゼントとして送ることができる様にしたものなどがある。
しかし、従来のシステムでは、送り主から送り先に商品をプレゼントする場合は、特定の選択された商品のみを送ることが可能であり、送り先の人、すなわちプレゼントの受け手側が商品の選択をすることができなかった。なお、プレゼントの受け手側が商品の選択をすることができるシステムとして、カタログ販売的なものがあるが、これはプレゼントの受け手側が商品情報の印刷されたカタログから商品の選択をするものであり、選択した商品の番号などを所定用紙に記入して郵送したり、あるいはインターネットなどを介して販売先に通知するものである。したがって、カタログに記載された商品の中から選択する必要があり、選択の自由度が制限されていた。また、印刷物のカタログの郵送、保管、処分が面倒であったり費用がかかること、更に資源の無駄にもなっていた。
発明の開示
したがって、本発明はプレゼントの受け手側が商品の選択をすることができ、かつ印刷物のカタログを用いることなく商品選択自由度を極めて高くすることが可能なショッピングシステム及びサーバ並びにそのコンピュータプログラムを提供することを目的とする。
上記目的を達成するため、本発明では特定のＩＤがあらかじめ記録されたギフトカードを用いるようにし、ギフトカードの販売時点で、ＩＤと関連付けて、当該ギフトカードの額面金額あるいは、購入できる商品のランクをサーバに記憶しておき、ギフトカードが送り主から送り先のユーザに送られ、ユーザがインターネットを介してショッピングするときは、ギフトカードのＩＤからサーバに記憶されている額面金額又はランクを用いて商品を購入できるようにしている。
すなわち本発明によれば、ギフトカードの送り主が購入したギフトカードの金額を前記ギフトカードを特定するＩＤと関連付けて前記ギフトカードの販売者の、又はその関連するサーバに記憶しておき、前記ギフトカードが送り先であるユーザに送られた後に、前記ユーザが前記ギフトカードを用いてインターネットを介して商品を購入しようとするとき、前記ユーザの使用する端末が前記ギフトカードから前記ＩＤを読み出して前記サーバに送信し、前記サーバは前記ギフトカードの額面又は残高を前記ギフトカードのユーザに通知することにより前記ユーザが前記額面又は残高を用いて商品を購入することが可能であり、商品の購入が行われると、前記サーバは前記額面又は残高から前記購入商品の金額を減じて、新たな残高を保持し、前記商品の発送指示を行うよう構成されているギフトカードショッピングシステムが提供される。
また本発明によれば、ギフトカードの送り主が購入したギフトカードの金額を前記ギフトカードを特定するＩＤと関連付けて前記ギフトカードの販売者の、又はその関連するサーバに記憶しておき、前記ギフトカードが送り先であるユーザに送られた後に、前記ユーザが前記ギフトカードを用いてインターネットを介して商品を購入しようとするとき、前記ユーザの使用する端末が前記ギフトカードから前記ＩＤを読み出して前記サーバに送信し、前記サーバは前記ギフトカードにより購入できるショッピングのランク又は、当該ランクに該当する商品の情報を前記ギフトカードのユーザに通知することにより前記ユーザが前記ランク又はそれに該当する前記商品の情報を用いて商品を購入することが可能であり、商品の購入が行われると、記憶されている前記ランクを消去するか、あるいは当該ランクの商品が購入済であることを記憶し、前記サーバは前記商品の発送指示を行うよう構成されているギフトカードショッピングシステムが提供される。
また本発明によれば、ギフトカードを特定する情報としてのＩＤが記録されたギフトカードが購入された際に、前記ギフトカードの額面金額を前記ＩＤと関連付けて記憶する手段と、
ユーザが前記ギフトカードを用いてインターネットに接続された端末を介してショッピングしようとするとき、前記ＩＤが送信されたときは、前記額面金額を前記ユーザの端末に送信する手段と、
前記ユーザが商品を購入したときは、前記商品の金額を前記額面から減じて残高を前記額面に代えて記憶する手段と、
前記商品の購入が行われると、前記商品を発送するよう指示する手段とを、
有するギフトカードショッピングサーバが提供される。
また本発明によれば、ギフトカードを特定する情報としてのＩＤが記録されたギフトカードが購入された際に、前記ギフトカードで購入できる商品のランクを前記ＩＤと関連付けて記憶する手段と、
ユーザが前記ギフトカードを用いてインターネットに接続された端末を介してショッピングしようとするとき、前記ＩＤが送信されたときは、前記ランク又は当該ランクに該当する商品の情報を前記ユーザの端末に送信する手段と、
前記ユーザが商品を購入したときは、記憶されている前記ランクを消去するか、あるいは当該ランクの商品が購入済であることを記憶する手段と、
前記商品の購入が行われると、前記商品を発送するよう指示する手段とを、
有するギフトカードショッピングサーバが提供される。
また本発明によれば、ギフトカードを特定する情報としてのＩＤが記録されたギフトカードが購入された際に、前記ギフトカードの額面金額を前記ＩＤと関連付けて記憶するステップと、
ユーザが前記ギフトカードを用いてインターネットに接続された端末を介してショッピングしようとするとき、前記ＩＤが送信されたときは、前記額面金額を前記ユーザの端末に送信するステップと、
前記ユーザが商品を購入したときは、前記商品の金額を前記額面から減じて残高を前記額面に代えて記憶するステップと、
前記商品の購入が行われると、前記商品を発送するよう指示するステップとを、
有する方法をコンピュータに実行させるためのギフトカードショッピングサーバ用コンピュータプログラムが提供される。
また本発明によれば、ギフトカードを特定する情報としてのＩＤが記録されたギフトカードが購入された際に、前記ギフトカードで購入できる商品のランクを前記ＩＤと関連付けて記憶するステップと、
ユーザが前記ギフトカードを用いてインターネットに接続された端末を介してショッピングしようとするとき、前記ＩＤが送信されたときは、前記ランク又は当該ランクに該当する商品の情報を前記ユーザの端末に送信するステップと、
前記ユーザが商品を購入したときは、記憶されている前記ランクを消去するか、あるいは当該ランクの商品が購入済であることを記憶するステップと、
前記商品の購入が行われると、前記商品を発送するよう指示するステップとを、
有する方法をコンピュータに実行させるためのギフトカードショッピングサーバ用コンピュータプログラムが提供される。
発明を実施するための最良の形態
以下、図面を参照して本発明の好ましい実施の形態について説明する。図１は本発明に係るギフトカードショッピングシステムの好ましい実施の形態の全体を示す模式図である。ショップ３０は、実際の店舗であってもよいしヴァーチャルモールであってもよいが、本実施の形態では、ショップ３０はデパートであるものとして説明する。プレゼント（ギフト）の送り主１０は、ショップ３０であるデパートに行き（あるいはインターネットなどを通じて）ギフトカード４０を購入し、所定の送り先２０に送付するよう依頼する。本明細書では、送り先２０、すなわちギフトカード４０の受け手側をユーザと呼ぶ。なお、ギフトカード４０は、デパート（ショップ）３０から直接送り先（ユーザ）２０に送付しているが、送り主１０がギフトカード４０を受領して送り先（ユーザ）２０に郵送したり、手渡しなどしてもよい。
このギフトカード４０は、例えば名刺サイズの電子データ記録可能な記録媒体であり、例えばプラスチックカード内にＲＯＭ部分と、記録可能なＲ部分を有する、いわゆるハイブリッドカードを用いることができる。ＲＯＭ部分には、ショップの紹介や、宣伝、インターネットでのアクセスを可能とするための当該ショップのＵＲＬ、あるいはインターネット接続までの手順を自動化するプログラムなどをあらかじめ記憶しておくことができる。またＲ部分には、当該ギフトカードである記録媒体を特定する情報としてのＩＤが記録されている。ＩＤとしては、例えば８ビットのデータを用いることができ、そのうち６ビットはシリアルナンバーとし、他の２ビットをチェックビットとすることができる。なお、このハイブリッドカードのデータ構造は、ＣＤ（コンパクトディスク）の基本規格に従っているので、ＴＯＣ（テーブルオブコンテンツ）が設けられていて、記録・再生時にＣＤドライブに挿入すると、ＴＯＣが最初に読み出され、そこから読み出された情報により、次に読み出す情報の領域が指定される。
ショップ３０では、このギフトカード４０を売場などに設置されている端末３２のＣＤドライブ３２Ａに挿入すると、まず、ＴＯＣが読み出され、次いでＴＯＣの指示に従ってあらかじめ所定のＲＯＭ領域に記録されているプログラムが読み出される。但し、このプログラムは、ユーザがギフトカードを使用するときに使用されるものであり、ショップ３０でのギフトカードの発行段階では、端末３２のハードディスクなどにあらかじめ格納されているプログラムに従って端末３２のＣＰＵ（中央演算処理装置）が動作することとなる。すなわち、端末３２は、ＣＤドライブ３２Ａを制御して、順次必要な情報を読み出したり、書き込んだりすることができる。具体的には、後述するように、金額入力画面のデータにより、端末３２の表示画面には、ギフトカード４０の額面金額を入力あるいは選択するよう指示が表示される。端末３２のオペレータは、ギフトカード４０の額面金額を入力（選択）する。この入力はキーボードを用いるか、あるいは画面に表示された複数の額面金額から該当する金額をマウスなどで選択することによりなされる。いま、３０，０００円のギフトカードが販売されたものとする。送り主、すなわちギフトカードの購入者は、所定の用紙に氏名、住所、送り先の氏名、住所などを記入して店員に渡しているので、オペレータは、購入者の氏名を入力することもできる。図２は、こうして順次ギフトカード４０が販売されたときに端末３２により入力される情報の一覧を示している。この情報は、店舗内のＬＡＮ３６などを介してサーバ３４に送信される。なお、販売日は、端末３２に記憶されているデータを用いるようにすれば、一々入力する必要がないし、ＩＤはギフトカード４０のＲ部分から読み出されたものをそのまま用いるようにしている。
図３は、デパート３０における端末３２での処理を示すフローチャートである。端末３２の電源が投入されると所定のイニシャライズが行われ（ステップＳ１）、次いで金額を入力（選択）する画面が表示され、金額が入力されたかの確認が行われる（ステップＳ２）。金額が入力されると、ギフトカード４０のＲ部分からＩＤを読み取る（ステップＳ３）。このＩＤは、ステップＳ２で入力された金額と共にサーバ３４内の記憶装置に記憶（登録）される（ステップＳ４）。このとき図２に示したように、その他の情報も関連付けて記憶しておくことは好ましい態様である。次いで登録の完了を確認して（ステップＳ５）、ギフトカード４０の発行操作が終了する。
こうしてギフトカード４０が販売され、ショップ３０から送り先（ユーザ）２０に郵送などされる。ユーザ２０は、例えば自宅の端末２２を用いてインターネット５０を介してデパート３０のサーバ３４にアクセスする。サーバ３４は、ホームページ表示機能を有していて、ステップＳ１１で通常はホームページの表示、維持管理を行っている。このホームページの中には、オンラインショッピング（カタログ表示要求）のページがあり、このページがユーザ２０により選択されると、ステップＳ１２がＹＥＳとなって、ステップＳ１３で商品のカタログを順次表示する。購入商品が選択されるとステップＳ１４がＹＥＳとなって、ステップＳ１５で支払方法選択画面を表示する。支払い方法は、通常のクレジットカードによる方法と、ギフトカードによる方法があり、ユーザ２０は、いずれかを選択できる。
クレジットカードが選択された場合は、ステップＳ１６がＮＯとなり、ステップＳ２５に行き、従来から知られている課金処理による動作が行われる。一方、ギフトカードが選択されると、ステップＳ１６からステップＳ１７へ行き、ギフトカード４０のＩＤを読み取り、次いでステップＳ１８で正規のギフトカードであるか否かの認証が行われる。なお、前述のように、ギフトカード４０を端末２２のＣＤドライブに装填すると、ＴＯＣが読み出されて、その指示によりＲＯＭ部分のプログラムが読み出され、このプログラムの指示により、Ｒ部分にアクセスしてＩＤが読み出されるのである。認証の手法は図７に沿って後述する。正規であると認証されると、ステップＳ１９でＩＤからギフトカード４０の額面又は残高を読み出し、次いでステップ２０で、先にステップＳ１４で選択された商品の価格をギフトカード４０の額面又は残高から減算する。こうして減算された結果の残高をステップＳ２１で新たな残高として、それまでの額面又は残高を更新する形で登録する。ステップＳ２２で購入の終了の指示があるか否かを判断し、なければ、ステップＳ１３に戻って次の商品の選択を可能とする。
ステップＳ２２で購入の終了の指示があると、ステップＳ２３でショッピング終了画面を表示し、購入された商品の発送指示を行いリターンする。発送指示は、商品のコード番号と送り先、すなわちユーザ２０の住所・氏名などを含むデータを発送用データベースに記録することにより行われる。なお、送り主１０の住所と氏名並びに商品選択の年月日なども合わせて、この発送用データベースに記録することは好ましい態様である。
ステップＳ２５を終了すると、ステップＳ２２へ行く。また、ステップＳ１８でギフトカード４０が正規でないときは、ステップＳ２４で当該ギフトカード４０が使用できない旨を表示し、ステップＳ２５へ行ってクレジットカードによる課金処理を行う。
上記実施の形態では、ギフトカード４０のＩＤに対応してその額面がサーバ３４に記憶されるよう構成されているが、他の実施の形態として商品のランクを記憶するようにしてもよい。例えば、結婚披露宴の引き出物を招待客に持たせる代わりにギフトカード４０を渡すような場合、例えば、松、竹、梅とかＡ、Ｂ、Ｃの３ランクを設けておき、それぞれが所定金額に対応するように設定しておく。一例として、「松」が２０，０００円、「竹」が１２，０００円、「梅」が６，０００円というように決めておく。今、「竹」のランクが選定される場合について説明する。ギフトカード４０の購入者は、あらかじめ「竹」のランクのギフトカード４０を購入することをデパート３０で申し込むものとする。
この場合、図３のフローチャートに代えて図５のフローチャートによりギフトカード４０が発行される。図５のフローチャートでは、図３のステップＳ２がステップＳ２Ａに変更され、金額ではなく、「竹」のランクが入力されたか否かが判断される。また、図３のステップＳ４がステップＳ４Ａに変更され、ＩＤとランク「竹」がサーバ３４に登録される。図５に示すフローチャート中、他のステップは図３と同様であるので説明を省略する。
図６は、かかる商品のランクにより商品を選択する場合のフローチャートである。ユーザ２０は、例えば自宅の端末２２を用いてインターネット５０を介してデパート３０のサーバ３４にアクセスする。サーバ３４は、ホームページ表示機能を有していて、ステップＳ３１で通常はホームページの表示、維持管理を行っている。このホームページの中には、オンラインショッピング（カタログ表示要求）のページがあり、このページがユーザ２０により選択されると、ステップＳ３２がＹＥＳとなって、ステップＳ３３で商品のカタログを表示する画面が提供される。この画面中には、任意に商品を選択するのではなく、あらかじめ決められたランクによる商品選択のモードを指定するアイコンが設けられている。
この場合、ユーザの端末２２の画面には、ランクによる選択である旨を示してもよいが、ユーザがランクによる選択であることを意識しなくて良いように、例えば、「引き出物」などの表示アイコンを設ける。購入商品が選択されるとステップＳ３４がＹＥＳとなって、ステップＳ３５でギフトカード４０からＩＤが読み込まれる。なお、ステップＳ３４でＮＯとなると、ランクによる商品選択ではないので、図４のステップＳ１４へ行き、前述の動作が行われる。
ステップＳ３５に次いでステップＳ３６でギフトカードが正規か否かが判断される。ステップＳ３６、Ｓ４１は図４のステップＳ１８、Ｓ２４と同様である。ステップＳ３７では、ステップＳ３５で読み出されたＩＤを基にサーバ３４に登録されているランクを読み出し、次いでステップＳ３８で当該ランクの商品のカタログを表示する。すなわち、このＩＤに対応するランクは「竹」であるから、価格が１２，０００円の商品のみが表示される。ステップＳ３９で商品が選択されると、ステップＳ４０で商品選択が終了したことを示し、図４のステップＳ２３と同様に当該商品の発送指示を行う。
このようにランクにより商品を選択させる方式であると、ユーザ２０（ギフトを受けた送り先）は、具体的なランク名（この場合「竹」）やその対応する金額を知ることはできないが、あらかじめ当該ランクの商品がそろって表示されるので、選択が容易である。また、送り主１０から見ると、ランク名や金額が送り先２０に知られることがなく好都合である。
図７は、ギフトカード４０に記録されるデータのうち、Ｒ部分に書き込まれるデータの構造（データフォーマット）を示す模式図である。▲１▼のＩＤは、このギフトカード４０を製造したときのアプリケーションを特定するコードである。▲２▼の発行連番（カードＩＤ）が、１枚毎に異なる、すなわち当該ギフトカード４０の固有のＩＤである。したがって、▲１▼のＩＤと▲２▼のカードＩＤの組み合わせで、１枚のカードが特定される。この他に地域コードや、バージョン情報などを入れることができる。
ここで前述の正規のギフトカードであるか否かの認証方法について説明する。いま、図７の各データ▲１▼〜▲８▼が下記の内容であるとする。
▲１▼    ０ｘ０００１
▲２▼    ０ｘ０００００００１（連番一番）
▲３▼    ００１
▲４▼    ０００００１
▲５▼    １．０１
▲６▼    ００００１
▲７▼    ２００１
▲８▼    半角スペース２０個
この場合は、以下のような演算を行い認証を行う。
ａ）    ▲１▼    ０ｘ００＋０ｘ０１
▲２▼    ０ｘ００＋０ｘ００＋０ｘ００＋０ｘ０１
▲３▼    ０ｘ３０＋０ｘ３０＋０ｘ３１
▲４▼    ０ｘ３０＋０ｘ３０＋０ｘ３０＋０ｘ３０＋０ｘ３０＋０ｘ３１
▲５▼    ０ｘ３１＋０ｘ２Ｅ＋０ｘ３０＋０ｘ３１
▲６▼    ０ｘ３０＋０ｘ３０＋０ｘ３０＋０ｘ３０＋０ｘ３１
▲７▼    ０ｘ３２＋０ｘ３０＋０ｘ３０＋０ｘ３１
▲８▼    ０ｘ２０＋０ｘ２０＋・・・・・・・・
ｂ）    ▲１▼＋▲２▼＋▲３▼＋▲４▼＋▲５▼＋▲６▼＋▲７▼＋▲８▼の結果が、０ｘ０００００６Ａ８となった場合
ｃ）    ｂの結果の最終２文字（１Ｂｙｔｅ）をＣｈｅｃｋＳｕｍ（チェックサム）とする。この例の場合は、＃Ａ８になる。
産業上の利用可能性
以上説明したように本発明によれば、特定のＩＤがあらかじめ記録されたギフトカードを用いるようにし、ギフトカードの販売時点で、ＩＤと関連付けて、当該ギフトカードの額面金額あるいは、購入できる商品のランクをサーバに記憶しておき、ギフトカードが送り主から送り先のユーザに送られ、ユーザがインターネットを介してショッピングするときは、ギフトカードのＩＤからサーバに記憶されている額面金額又はランクを用いて商品の購入ができるようにしたので、プレゼントの受け手側が商品の選択をすることができ、かつ印刷物のカタログを用いることなく商品選択自由度を極めて高くすることが可能となる。
【図面の簡単な説明】
上記発明の目的や特徴は以下の図面と共に説明される実施の形態によりさらに明らかとなるであろう。
図１は、本発明に係るギフトカードショッピングシステムの好ましい実施の形態の模式図、
図２は、図１中のショップのサーバに登録されるデータの例を示す図、
図３は、図１中のショップにおけるギフトカード発行の手順を示すフローチャート、
図４は、図１中のユーザが、その端末を用いてショップのサーバにアクセスして商品を選択する場合の手順を示すフローチャート、
図５は、図１中のギフトカードに対応して商品のランクが設定される場合の図１中のショップにおけるギフトカード発行の手順を示すフローチャート、
図６は、図５で設定されたランクにより図１中のユーザが、その端末を用いてショップのサーバにアクセスして商品を選択する場合の手順を示すフローチャート、
図７は、ギフトカードに記録されるデータの構造を示す模式図である。
【図１】
2003050737.tif 000003
【図２】
2003050737.tif 000004
【図３】
2003050737.tif 000005
【図４】
2003050737.tif 000006
【図５】
2003050737.tif 000007
【図６】
2003050737.tif 000008
【図７】
2003050737.tif 000009
【国際調査報告】
2003050737.tif 000010
2003050737.tif 000011
2003050737.tif 000012
2003050737.tif 000013